(57)【要約】【課題】本発明は小型カメラモジュールのソケットへの取付け構造に関し、小型カメラモジュールとソケットとの電気的接続の信頼性の向上を図ることを課題とする。【解決手段】小型カメラモジュール１０は、レンズ及び固体撮像素子が設けてあり、下部の周側面に電極パッド４２ｂと凹部４６とを有する。凹部４６は、電極パッド４２ｂよりも上側に位置している。枠形状のソケット２０は、信号用コンタクト部材２２を有する。小型カメラモジュール１０の下部がソケット２０内に嵌合されてコンタクト部２２ｃが電極パッド４２ｂと接触された状態で、凹部４６が形成してあることによって、バネ性腕部２２ｂは小型カメラモジュール１０に当ってはいない。【選択図】        図３
2004304604.tif 000002
【特許請求の範囲】
【請求項１】
レンズ及び固体撮像素子が設けてあり下部の周側面に電極パッドを有する小型カメラモジュールが、その下部を、先端がコンタクト部であるバネ性腕部を有するコンタクト部材を備えた枠形状のソケットの内側に嵌合させて、上記電極パッドと上記コンタクト部とが接触した状態で取り付けてあり、
且つ、上記小型カメラモジュールは、下部側の周囲に、上記ソケット内のコンタクト部材のバネ性腕部が当らないように該バネ性腕部を避ける凹み部を有する形状であり、
上記小型カメラモジュールが上記ソケットへ取り付けられた状態で、上記バネ性腕部と上記小型カメラモジュールとは当接せずに離されている構成としたことを特徴とする小型カメラモジュールのソケットへの取付け構造。
【請求項２】
レンズ及び固体撮像素子が設けてあり下部の周側面に電極パッドを有する小型カメラモジュールが、その下部を、コンタクト部を有するコンタクト部材を備えた枠形状のソケットの内側に嵌合させて、上記電極パッドと上記コンタクト部とが接触した状態で取り付けてあり、
且つ、上記ソケットは、該ソケットに嵌合された上記小型カメラモジュールを該ソケットから抜け出ないように係止するフック部を有する構成であり、
且つ、上記小型カメラモジュールが上記フック部によって係止されて取り付けられている構成としたことを特徴とする小型カメラモジュールのソケットへの取付け構造。
【請求項３】
請求項２の小型カメラモジュールのソケットへの取付け構造において、
上記ソケットは、グランド用コンタクト部材を有する構造であり、
上記フック部は、上記グランド用コンタクト部材の一部である構成としたことを特徴とする小型カメラモジュールのソケットへの取付け構造。
【請求項４】
レンズ及び固体撮像素子が設けてあり下部の周側面に電極パッドを有する小型カメラモジュールが、その下部を、コンタクト部を有するコンタクト部材を備えた枠形状のソケットの内側に嵌合させて、上記電極パッドと上記コンタクト部とが接触した状態で取り付けてあり、
且つ、上記小型カメラモジュールは、上記ソケット内に嵌合する部分の周囲に凹部を有し、
且つ、上記ソケットは、上記小型カメラモジュールの上記凹部に対向する部位に切欠部を有し、
上記小型カメラモジュールが上記ソケット内に取り付けられた状態で、上記凹部と上記切欠部とが対向し、取り外し治具が上記切欠部を通して上記凹部に嵌合されるようにしたことを特徴とする小型カメラモジュールのソケットへの取付け構造。
【発明の詳細な説明】
【０００１】
【発明の属する技術分野】
本発明は小型カメラモジュールのソケットへの取付け構造に係り、特に小型カメラモジュールを携帯電話機等の電子機器に搭載するための小型カメラモジュールのソケットへの取付け構造に関する。
【０００２】
【従来の技術】
従来の小型カメラモジュールは、電子機器の回路基板ボード上に半田付けされて直接的に実装されるか、或いは、電子機器の回路基板ボード上に半田付けされて実装してあるソケットに嵌合して取り付けられる。ソケットを利用した構造は、小型カメラモジュールの交換、修理等が容易である点で好ましい。
【０００３】
小型カメラモジュールをソケットに嵌合して取付ける従来の構造は、小型カメラモジュールが撮像素子とレンズホルダとが別体である二ピース構造であり、ソケットは底板上にコンタクトが配された構成であり、撮像素子がソケット内に嵌合され、レンズホルダがソケットの外側に係合されて撮像素子を押え、撮像素子の裏面の電極パッドがソケット内のコンタクトに押し当っている構造である。
【０００４】
【特許文献】
特開２００１−１８８１５５号公報（図５（ｂ））
【０００５】
【発明が解決しようとする課題】
電極パッドがコンタクトを押し付けており、電極パッドとコンタクトとの電気的接触は良好であるけれども、小型カメラモジュールはソケット内のコンタクトによってソケットより押し出される方向の力を作用されており、例えば衝撃等を受けた場合に撮像素子がソケット内で浮き上がり易く、浮き上がりはソケットから外れる方向であるので信頼性の点で問題があった。
【０００６】
そこで、電極パッドを小型カメラモジュールの側面に配置し、コンタクトをソケットの内側の側面に沿って配し、小型カメラモジュールをそのレンズ側からみた場合にコンタクトが小型カメラモジュールを挟み込むようにすることが考えられる。この構成では、小型カメラモジュールには浮き上がる方向に力は作用されていず好ましい。ここで、特に携帯電話機において携帯電話機のサイズが小さいため、小型カメラモジュールを搭載する構造も出来るだけ小さくすることが要求されており、この要求に応ずるためにソケットのサイズを小型にした場合には、コンタクトが電極パッドに良好に弾性接触しにくくなる虞れがあった。
【０００７】
また、コンタクトが小型カメラモジュールの側面の電極パッドに当る構造においても、小型カメラモジュールのソケットへの取付けの信頼性を高めることが望ましい。
【０００８】
そこで、本発明は、上記課題を解決した小型カメラモジュールのソケットへの取付け構造を提供することを目的とする。
【０００９】
【課題を解決するための手段】
請求項１の発明は、レンズ及び固体撮像素子が設けてあり下部の周側面に電極パッドを有する小型カメラモジュールが、その下部を、先端がコンタクト部であるバネ性腕部を有するコンタクト部材を備えた枠形状のソケットの内側に嵌合させて、上記電極パッドと上記コンタクト部とが接触した状態で取り付けてあり、
且つ、上記小型カメラモジュールは、下部側の周囲に、上記ソケット内のコンタクト部材のバネ性腕部が当らないように該バネ性腕部を避ける凹み部を有する形状であり、
上記小型カメラモジュールが上記ソケットへ取り付けられた状態で、上記バネ性腕部と上記小型カメラモジュールとは当接せずに離されている構成としたものである。
【００１０】
バネ性腕部が小型カメラモジュールに当らないので、コンタクト片は必ずバネ性腕部に蓄えられている弾性力によって端子に接触するようになり、コンタクト片の端子への弾性力接触圧が充分に確保され、接触不良の発生が回避される。
【００１１】
請求項２の発明は、レンズ及び固体撮像素子が設けてあり下部の周側面に電極パッドを有する小型カメラモジュールが、その下部を、コンタクト部を有するコンタクト部材を備えた枠形状のソケットの内側に嵌合させて、上記電極パッドと上記コンタクト部とが接触した状態で取り付けてあり、
且つ、上記ソケットは、該ソケットに嵌合された上記小型カメラモジュールを該ソケットから抜け出ないように係止するフック部を有する構成であり、
上記小型カメラモジュールが上記フック部によって係止されて取り付けられている構成としたものである。
【００１２】
フック部が小型カメラモジュールを係止しているので、例えば誤って落下させて衝撃が作用したような場合であっても、小型カメラモジュールがソケットから外れてしまうことが防止出来る。
【００１３】
請求項３の発明は、請求項２の小型カメラモジュールのソケットへの取付け構造において、
上記ソケットは、グランド用コンタクト部材を有する構造であり、
上記フック部は、上記グランド用コンタクト部材の一部である構成としたものである。
【００１４】
小型カメラモジュールに静電気が発生した場合には、静電気はグランド用コンタクト部材を通してグランドに逃がされ、小型カメラモジュール内への静電気の帯電が回避される。よって、静電気が帯電することによる故障、例えば固体撮像素子の静電破壊が防止出来る。
【００１５】
請求項４の発明は、レンズ及び固体撮像素子が設けてあり下部の周側面に端子を有する小型カメラモジュールが、その下部を、コンタクト部を有するコンタクト部材を備えた枠形状のソケットの内側に嵌合させて、上記端子と上記コンタクト部とが接触した状態で取り付けてあり、
且つ、上記小型カメラモジュールは、上記ソケット内に嵌合する部分の周囲に凹部を有し、
且つ、上記ソケットは、上記小型カメラモジュールの上記凹部に対向する部位に切欠部を有し、
上記小型カメラモジュールが上記ソケット内に取り付けられた状態で、上記凹部と上記切欠部とが対向し、取り外し治具が上記切欠部を通して上記凹部に嵌合されるようにしたものである。
【００１６】
小型カメラモジュールがソケット内に深く嵌合する構成であっても、小型カメラモジュールの凹部がソケットの外側から見えるため、取り外し治具が小型カメラモジュールにまで届くようにすることが可能となり、取り外し治具をソケットから取り外す作業を簡単に行うことが出来る。
【００１７】
【発明の実施の形態】
図１は本発明の一実施例になる小型カメラモジュールのソケットへの取付け構造を、小型カメラモジュール１０とソケット２０とを分離した状態で示す。図２、図３、図４は小型カメラモジュール１０がソケット２０に取り付けてある状態を示す。図３は図２中、ＩＩＩ−ＩＩＩ線に沿う断面を示し、図４は図２中、ＩＶ−ＩＶ線に沿う断面を示す。各図において、Ｘ１−Ｘ２、Ｙ１−Ｙ２は平面上直交する方向であり、Ｚ１−Ｚ２は高さ方向である。
【００１８】
図１、図３に示すように、小型カメラモジュール１０は、固体撮像素子ユニット４０とレンズユニット５０とが接着されて一体化してある構成である。
【００１９】
固体撮像素子ユニット４０は、図３、図５（Ａ）乃至（Ｃ）に示すように、ＣＣＤ型固体撮像素子４１が実装してある四角形の回路基板４２の上面側に四角形状の合成樹脂製のカバー部材４３が固定してあり、固体撮像素子４１がカバー部材４３によって覆われている構造であり、一つの直線状カットコーナ部４４を有する。回路基板４２の周囲の側面４２ａには、多数のハーフカット電極パッド４２ｂが並んでいる。ハーフカット電極パッド４２ｂは、並んでいるスルーホールの内面にメッキによって電極を形成し、基板を並んでいるスルーホールの中心を通る線に沿って切断することによって形成されたものであり、側面４２ａより凹んでいる。カバー部材４３は、略正方形の天板部４３ａと、天板部４３ａの四辺に沿う四角枠状の側板部４３ｂとを有する。天板部４３ａには光学フィルタ４５が固定してある。四角枠状の側板部４３ｂは、外側面のうち、端面４３ｂ１寄り側に、内側に切り込むように傾斜している傾斜面４３ｂ２となっている。よって、固体撮像素子ユニット４０は、カバー部材４３の外周囲のうち、回路基板４２側の部分に、略全周に亘って凹んでいる凹み部４６を有している（図７（Ａ）参照）。凹み部４６はハーフカット電極パッド４２ｂが並んでいる面よりもＺ１側に位置している。天板部４３ａの各辺には、凹部４７が形成してある。また、カバー部材４３の一つの対角線ＤＬ１上の対角の個所には、凹部４８−１，４８−２が形成してある。
【００２０】
レンズユニット５０は、図３に示すように、レンズ５１，５２が固定してある筒状のレンズホルダ５３が、ハウジング５４の内側にねじでもってかみ合っている構造である。
【００２１】
ソケット２０は、図１及び図６（Ａ）乃至（Ｄ）に示すように、合成樹脂製である枠形状のソケット本体２１と、ソケット本体２１の内側に沿って並んでいる信号用コンタクト部材２２及びグランド用コンタクト部材２７とよりなる。ソケット本体２１は、固体撮像素子ユニット４０をＺ１側からみたときの形状に対応した形状であり、略正方形であり、直線状カットコーナ４２ｄに対応する斜めコーナ２１ａを有し、且つ、この斜めコーナ２１ａの隣の角部には、即ち、対角線ＤＬ２上の角部には、切欠部２８−１，２８−２が形成してある。ソケット本体２１は底板部２１ｂを有する。
【００２２】
信号用コンタクト部材２２は、図７（Ａ）に併せて示すように、ソケット本体２１内に嵌合して固定してある本体部２２ａと、本体部２２ａの上端の逆Ｕ字形状部からソケット２０の内側に向かって斜め下方に延在しているバネ性腕部２２ｂと、このバネ性腕部２２ｂの先端のコンタクト部２２ｃと、本体部２２ａより下方に延びている部分の先端の端子部２２ｄとを有する。この信号用コンタクト部材２２は、前記のハーフカット電極パッド４２ｂに対応するように配置してある。
【００２３】
グランド用コンタクト部材２７は、同じく図７（Ａ）に併せて示すように、ソケット本体２１内に嵌合して固定してある本体部２７ａと、本体部２７ａの下端のＵ字形状部からＺ１方向に延びているバネ性腕部２７ｂと、このバネ性腕部２７ｂの途中を折り曲げて形成してありソケット本体２１の内側に突き出ているフック部２７ｃと、本体部２７ａより下方に延びている部分の先端の端子部２７ｄとを有する。この信号用コンタクト部材２２は、前記の凹部４７に対応するように配置してある。フック部２７ｃは前記のコンタクト部２２ｃよりもＺ１側に位置している。
【００２４】
上記のソケット２０は、図１、図３に示すように、端子部２２ｄ，２７ｄを回路基板６０上のパッド６１に半田付けされて実装してある。
【００２５】
次に、小型カメラモジュール１０をソケット２０内に嵌合させて取り付ける操作、小型カメラモジュール１０がソケット２０に取り付けられている状態、小型カメラモジュール１０をソケット２０から取り外す操作について説明する。
【００２６】
小型カメラモジュール１０をソケット２０に取り付けるには、小型カメラモジュール１０を、その向きをソケット２０に合わせ、図７（Ａ）に示すようにソケット２０の上方よりＺ２方向に降ろし、固体撮像素子ユニット４０の部分をソケット２０内に嵌合させ、固体撮像素子ユニット４０が図７（Ａ）に示すようにソケット２０の底板部２１ｂに突き当るまで押し下げる。
【００２７】
固体撮像素子ユニット４０の部分がソケット２０の内側に嵌合する過程において、グランド用コンタクト部材２７のフック部２７ｃが回路基板４２の周囲部によって押されてバネ性腕部２２ｂが撓まされてソケット本体２１側に後退され、信号用コンタクト部材２２のコンタクト部２２ｃが同じく回路基板４２の周囲部によって押されてバネ性腕部２７ｂが撓まされてソケット本体２１側に後退される。
【００２８】
ソケット２０内のコンタクト部２２ｃとフック部２７との位置の関係上、小型カメラモジュール１０の固体撮像素子ユニット４０の部分は、最初にフック部２７に接触し、その後にコンタクト部２２ｃに接触する。小型カメラモジュール１０に帯電していた静電気はフック部２７に接触したときに回路基板６０のグランドに逃がされ、コンタクト部２２ｃとの接触時には静電気の影響を抑えることが可能となる。
【００２９】
小型カメラモジュール１０が最終位置まで押し下げられると、図２、図３、図７（Ｂ）に示すようになる。
【００３０】
第１には、図３に示すように、高さ方向上、固体撮像素子ユニット４０の部分全体がソケット２０内に収まった状態となる。
【００３１】
第２には、信号用コンタクト部材２２のコンタクト部２２ｃがハーフカット電極パッド４２ｂに押し当る。ここで、ハーフカット電極パッド４２ｂは回路基板４２の周囲の側面４２ａより少し凹んでいるため、電極パッドが回路基板４２の周囲の側面４２ａ上に配置してあると仮定した場合に比べて、バネ性腕部２２ｂはソケット２０の内側に突き出る。しかし、小型カメラモジュール１０にはバネ性腕部２２ｂを避ける逃げとしての前記の凹み部４６が形成してあるため、バネ性腕部２２ｂは、凹み部４６内に入り込むけれども、固体撮像素子ユニット４０の周囲の部分には接触しない。即ち、バネ性腕部２２ｂと固体撮像素子ユニット４０の周面との間には、隙間が存在する。よって、バネ性腕部２２ｂの弾性力はすこしも減ぜられないでコンタクト部２２ｃがハーフカット電極パッド４２ｂに押し当る力に使用されて、コンタクト部２２ｃはハーフカット電極パッド４２ｂに十分は接触圧Ｆ１で接触され、各コンタクト部２２ｃとハーフカット電極パッド４２ｂとの電気的接続は良好になされる。
【００３２】
また、小型カメラモジュール１０の固体撮像素子ユニット４０の部分は、その四つの辺をコンタクト部２２ｃによって押され、撓まされたバネ性腕部２２ｂに蓄えられた弾性力によって小型カメラモジュール１０の中心の方向に押し付けられて周囲から挟み込まれるような力を作用される。よって、小型カメラモジュール１０は信号用コンタクト部材２２によってソケット２０から押し出される方向の力は作用されない。
【００３３】
第３には、図２、図３、図７（Ｂ）に示すように、グランド用コンタクト部材２７のフック部２７ｃが凹部４７に、バネ性腕部２７ｂの弾性力によって、力Ｆ２でもって係止し、小型カメラモジュール１０は固体撮像素子ユニット４０の部分の四辺の夫々をフック部２７ｃによって係止されて、ソケット２０から無用に離脱することが防止されている状態にある。また、ソケット２０に嵌合してある小型カメラモジュール１０が携帯電話に組み込まれて使用されている状態で、小型カメラモジュール１０に静電気が発生した場合には、静電気は小型カメラモジュール１０に帯電しないで、フック部２７ｃを通して回路基板６０のグランドに逃がされ、固体撮像素子４１が静電破壊されるような静電気の帯電に伴なう事故は起きない。
【００３４】
第４には、図４に示すように、小型カメラモジュール１０の固体撮像素子ユニット４０の部分の凹部４８−１，４８−２が、ソケット２０の切欠部２８−１，２８−２に露出している状態となる。
【００３５】
修理等のために小型カメラモジュール１０をソケット２０から取り外す操作について説明する。図４に示すように、二つのアーム部１０１、１０２を有する取り外し治具１００を使用し、アーム部１０１、１０２の先端のフック部１０１ａ、１０２ａをソケット２０の切欠部２８−１，２８−２を通って凹部４８−１，４８−２内に係合させ、取り外し治具１００をＺ１方向に引き上げる操作を行う。固体撮像素子ユニット４０の部分に凹部４８−１，４８−２を設け且つソケット２０に切欠部２８−１，２８−２を設けた構成とすることによって、高さ方向上固体撮像素子ユニット４０の部分全体がソケット２０内に収まった状態にあるけれども、取り外し治具１００を使用して、小型カメラモジュール１０をソケット２０から容易に取り外すことが出来る。
【００３６】
なお、図８に示すように、前記の傾斜面４３ｂに代えて、段部４３ｂＡを形成することによって、凹み部４６Ａを形成してもよい。
【００３７】
また、グランド用コンタクト部材２７のフック部２７ｃが小型カメラモジュール１０を係止する代わりに、小型カメラモジュール１０に設けたフック部がソケット２０を係止するようにしてもよい。
【００３８】
【発明の効果】
上述のように、請求項１の発明は、小型カメラモジュールは、下部側の周囲に、ソケット内のコンタクト部材のバネ性腕部が当らないようにバネ性腕部を避ける凹み部を有する形状であり、小型カメラモジュールがソケットへ取り付けられた状態で、バネ性腕部と小型カメラモジュールとは当接せずに離されている構成としたものであるため、バネ性腕部の先端のコンタクト部は必ずバネ性腕部に蓄えられている弾性力によって端子に接触するようになり、コンタクト部の端子への弾性力接触圧が充分に確保され、コンタクト部と電極パッド端子との電気的接続の信頼性を向上させることが出来る。
【００３９】
請求項２の発明は、ソケットは、ソケットに嵌合された小型カメラモジュールをソケットから抜け出ないように係止するフック部を有する構成であり、小型カメラモジュールがフック部によって係止されて取り付けられている構成としたものであり、フック部が小型カメラモジュールを係止しているので、例えば誤って落下させて衝撃が作用したような場合であっても、小型カメラモジュールがソケットから外れてしまうことが防止出来る。
【００４０】
請求項３の発明は、請求項２の小型カメラモジュールのソケットへの取付け構造において、ソケットは、グランド用コンタクト部材を有する構造であり、フック部は、グランド用コンタクト部材の一部である構成としたものであるため、あｔめ。小型カメラモジュールに静電気が発生した場合には、静電気はグランド用コンタクト部材を通してグランドに逃がされ、小型カメラモジュールに静電気が帯電することが回避出来、よって、静電気が帯電することによる故障、例えば固体撮像素子の静電破壊を防止出来る。
【００４１】
請求項４の発明は、小型カメラモジュールは、ソケット内に嵌合する部分の周囲に凹部を有し、ソケットは、小型カメラモジュールの凹部に対向する部位に切欠部を有し、小型カメラモジュールがソケット内に取り付けられた状態で、凹部と切欠部とが対向し、取り外し治具が切欠部を通して凹部に嵌合されるようにしたものであるため、小型カメラモジュールがソケット内に深く嵌合する構成であっても小型カメラモジュールの凹部がソケットの外側から見えるため、取り外し治具が小型カメラモジュールにまで届くようにすることが可能となり、取り外し治具をソケットから取り外す作業を簡単に行うことが出来る。
【図面の簡単な説明】
【図１】本発明の一実施例になる小型カメラモジュールのソケットへの取付け構造を小型カメラモジュールとソケットとを分離した状態で示す斜視図である。
【図２】小型カメラモジュールがソケットに取り付けてある状態の平面図である。
【図３】図２中、ＩＩＩ−ＩＩＩ線に沿う断面図である。
【図４】図２中、ＩＶ−ＩＶ線に沿う断面図である。
【図５】固体撮像素子ユニットを分解して示す斜視図である。
【図６】ソケットを示す図である。
【図７】小型カメラモジュールをソケット内へ嵌合させて取り付けるときの動作を示す図である。
【図８】小型カメラモジュールのソケットへの取付け構造の変形例を示す図である。
【符号の説明】
１０  小型カメラモジュール
２０  ソケット
２１  ソケット本体
２２  信号用コンタクト部材
２２ｂ  バネ性腕部
２２ｃ  コンタクト部
２７  グランド用コンタクト部材
２７ｂ  バネ性腕部
２７ｃ  フック部
４０  固体撮像素子ユニット
４１  ＣＣＤ型固体撮像素子
４２  回路基板
４２ａ  側面
４２ｂ  ハーフカット電極パッド
４３  カバー部材
４３ａ  天板部
４３ｂ  側板部
４３ｂ２  傾斜面
４６  凹み部
４７  凹部
４８−１，４８−２  凹部
５０  レンズユニット
５１，５２  レンズ
５３  レンズホルダ
５４  ハウジング
１００  取り外し治具
１０１，１０２  アーム部
【図１】
2004304604.tif 000003
【図２】
2004304604.tif 000004
【図３】
2004304604.tif 000005
【図４】
2004304604.tif 000006
【図５】
2004304604.tif 000007
【図６】
2004304604.tif 000008
【図７】
2004304604.tif 000009
【図８】
2004304604.tif 000010